(57)【要約】【課題】設定項目の内容が認識し易く、所望の設定項目の位置を容易に把握できること。【解決手段】複数のメニュー項目のそれぞれに対応しメニュー項目の選択指示を行うための複数のメニューアイコンを配置した選択画面を操作パネル２００に表示する表示処理部１０１と、複数のメニューアイコンの中から、利用者による所望のメニューアイコンの選択を受け付ける選択受付部１０３と、を備え、表示処理部１０１は、メニューアイコンの選択を受け付けた場合、選択されたメニューアイコンを、画面の所定の一辺からの一定幅である選択された旨を示す規定幅位置に変更するとともに、表示されている他のメニューアイコンを、配置順序を維持しながら変更した選択画面である変更後の選択画面を操作パネル２００に表示すること、を特徴とする。【選択図】        図１
2008217339.tif 000002
【特許請求の範囲】
【請求項１】
複数の上位設定項目のそれぞれに対応し前記上位設定項目の選択指示を行うための複数の上位項目シンボルを配置した選択画面を表示部に表示する表示処理手段と、
前記複数の上位項目シンボルの中から、利用者による所望の前記上位項目シンボルの選択を受け付ける選択受付手段と、を備え、
前記表示処理手段は、前記上位項目シンボルの選択を受け付けた場合、選択された上位項目シンボルを、画面の所定の一辺からの一定幅である選択された旨を示す規定幅位置に変更するとともに、表示されている他の上位項目シンボルを、配置順序を維持しながら変更した前記選択画面である変更後の選択画面を前記表示部に表示すること、
を特徴とする表示処理装置。
【請求項２】
前記表示処理手段は、前記選択された上位項目シンボルを、他の前記上位項目シンボルよりも拡大して配置した前記変更後の選択画面を表示すること、
を特徴とする請求項１に記載の表示処理装置。
【請求項３】
前記表示処理手段は、さらに、前記選択された上位項目シンボルに対応する前記上位設定項目の下位設定項目に対応し前記下位設定項目の選択指示を行うための下位項目シンボルを配置した前記変更後の選択画面を前記表示部に表示すること、
を特徴とする請求項１に記載の表示処理装置。
【請求項４】
前記表示処理手段は、複数の前記下位項目シンボルを格子状に配置した前記変更後の選択画面を前記表示部に表示すること、
を特徴とする請求項３に記載の表示処理装置。
【請求項５】
前記表示処理手段は、前記下位項目シンボルを前記上位項目シンボルよりも下方配置した前記変更後の選択画面を表示すること、
を特徴とする請求項４に記載の表示処理装置。
【請求項６】
前記表示処理手段は、前記複数の上位項目シンボルのそれぞれの間に、前記複数の上位項目シンボルを接続する曲線または直線の画像である線状画像を配置した前記変更後の選択画面を前記表示部に表示すること、
を特徴とする請求項１に記載の表示処理装置。
【請求項７】
前記表示処理手段は、前記選択された上位項目シンボル以外の前記上位項目シンボルに対応する前記下位項目シンボルを縮小して前記上位項目シンボルの近傍に配置した前記変更後の選択画面を表示すること、
を特徴とする請求項３〜６のいずれか一つに記載の表示処理装置。
【請求項８】
前記複数の上位項目シンボルと、前記上位項目シンボルを配置可能な領域を有する背景画面とを記憶する記憶手段を、さらに備え、
前記表示処理手段は、前記記憶手段から前記上位項目シンボルと前記背景画面とを読み出して、読み出した前記複数の上位項目シンボルを前記背景画面に配置した前記選択画面を生成し、生成した前記選択画面を前記表示部に表示すること、
を特徴とする請求項７に記載の表示処理装置。
【請求項９】
前記表示処理手段は、前記選択された上位項目シンボルを、他の前記上位項目シンボルよりも拡大して前記背景画面に配置した前記変更後の選択画面を生成し、生成した前記変更後の選択画面を前記表示部に表示すること、
を特徴とする請求項８に記載の表示処理装置。
【請求項１０】
前記記憶手段は、さらに、前記下位項目シンボルを前記上位項目シンボルと対応付けて記憶し、
前記表示処理手段は、さらに、前記記憶手段から前記選択された上位項目シンボルに対応する前記下位項目シンボルを読み出して、読み出した前記下位項目シンボルを前記背景画面に配置した前記変更後の選択画面を生成し、生成した前記変更後の選択画面を前記表示部に表示すること、
を特徴とする請求項８に記載の表示処理装置。
【請求項１１】
前記表示処理手段は、複数の前記下位項目シンボルを前記背景画面に格子状に配置した前記変更後の選択画面を生成し、生成した前記変更後の選択画面を前記表示部に表示すること、
を特徴とする請求項１０に記載の表示処理装置。
【請求項１２】
前記表示処理手段は、前記上位項目シンボルを前記背景画面の上部に配置し、前記下位項目シンボルを前記上位項目シンボルよりも下方配置した前記変更後の選択画面を生成し、生成した前記変更後の選択画面を前記表示部に表示すること、
を特徴とする請求項１０に記載の表示処理装置。
【請求項１３】
前記表示処理手段は、前記複数の上位項目シンボルのそれぞれの間に、前記複数の上位項目シンボルを接続する曲線または直線の画像である線状画像を前記背景画面に配置した前記変更後の選択画面を生成し、生成した前記変更後の選択画面を前記表示部に表示すること、
を特徴とする請求項１に記載の表示処理装置。
【請求項１４】
複数の上位設定項目のそれぞれに対応し前記上位設定項目の選択指示を行うための複数の上位項目シンボルを配置した選択画面を表示部に表示するステップと、
前記複数の上位項目シンボルの中から、利用者による所望の前記上位項目シンボルの選択を受け付けるステップと、
前記上位項目シンボルの選択を受け付けた場合、選択された上位項目シンボルを、画面の所定の一辺からの幅である選択された旨を示す規定幅位置に変更するとともに、表示されている他の上位項目シンボルを、配置順序を維持しながら変更した前記選択画面である変更後の選択画面を前記表示部に表示するステップと、
を含むことを特徴とする表示処理方法。
【請求項１５】
複数の上位設定項目のそれぞれに対応し前記上位設定項目の選択指示を行うための複数の上位項目シンボルを配置した選択画面を表示部に表示するステップと、
前記複数の上位項目シンボルの中から、利用者による所望の前記上位項目シンボルの選択を受け付けるステップと、
前記上位項目シンボルの選択を受け付けた場合、選択された上位項目シンボルを、画面の所定の一辺からの幅である選択された旨を示す規定幅位置に変更するとともに、表示されている他の上位項目シンボルを、配置順序を維持しながら変更した前記選択画面である変更後の選択画面を前記表示部に表示するステップと、
をコンピュータに実行させる表示処理プログラム。
【発明の詳細な説明】
【技術分野】
【０００１】
本発明は、機能設定および実行のための選択画面を表示する表示処理装置、表示処理方法、および表示処理プログラムに関するものである。
【背景技術】
【０００２】
近年、プリンタ、コピー、ファクシミリ、スキャナなどの各装置の機能を１つの筐体内に収納した複合機、いわゆるＭＦＰ（Multi Function Peripheral）と呼ばれる画像形成装置が知られている。このＭＦＰは、１つの筐体内に表示部、印刷部および撮像部などを設けるとともに、プリンタ、コピーおよびファクシミリ装置にそれぞれ対応したソフトウェアを設け、これらのソフトウェアを切り替えることによって、当該装置をプリンタ、コピー、スキャナまたはファクシミリ装置として動作させるものである。
【０００３】
このような従来のＭＦＰでは、上述の各種機能を実行する際の設定を行うため、液晶タッチパネルなどの表示操作部が設けられている。近年のＭＦＰは、機能が複数存在する上に、設定すべき項目が多くなっているため、わかりやすい設定画面（選択画面）を表示することや、利用者による設定の操作負担を軽減することが求められている。
【０００４】
これに対し、例えば、複数の機能のすべての設定項目を１画面に表示するのではなく、所定のボタンやタブを選択することにより各機能の設定画面を切り替えて表示する方法などが実現されている。例えば、各機能の設定画面ごとにルーズリーフのインデックスのような設定項目がついており、その設定項目を選択すると、選択された設定項目の設定画面が最前面に表示されて諸条件の項目についての設定が可能になる。また、他の設定項目を選択すれば、その機能の設定画面が最前面に表示され、同様に諸条件の項目についての設定が可能となる技術が開示されている（特許文献１、図１７参照）。
【０００５】
【特許文献１】特開２０００−２２７８４９号公報
【発明の開示】
【発明が解決しようとする課題】
【０００６】
しかしながら、特許文献１の表示方法では、各機能の設定画面の設定項目を同じ大きさで横一列に並べて表示するため、各設定項目が類似していて読みづらく、さらには、現在どの設定項目が選択されているかを一目で把握することが困難であった。また、設定画面の設定項目が横一列で表示しきれない場合には、複数列の設定項目を縦に並べて表示することになる。このような場合、下段の設定項目を表示した後に上段の設定項目を表示すると、上段の設定項目の設定画面が最前面に表示されるとともに、上段の設定項目と下段の設定項目とが入れ替わるため、今までどの設定項目の設定を行っていたか、次に設定したい設定項目がどの位置にあるのかを把握するのが困難となっていた。
【０００７】
本発明は、上記に鑑みてなされたものであって、機能ごとの設定内容の表示方法を改善することにより、設定項目の内容が認識し易く、所望の設定項目の位置を容易に把握できる表示処理装置、表示処理方法、および表示処理プログラムを提供することを目的とする。
【課題を解決するための手段】
【０００８】
上述した課題を解決し、目的を達成するために、請求項１にかかる発明は、複数の上位設定項目のそれぞれに対応し前記上位設定項目の選択指示を行うための複数の上位項目シンボルを配置した選択画面を表示部に表示する表示処理手段と、前記複数の上位項目シンボルの中から、利用者による所望の前記上位項目シンボルの選択を受け付ける選択受付手段と、を備え、前記表示処理手段は、前記上位項目シンボルの選択を受け付けた場合、選択された上位項目シンボルを、画面の所定の一辺からの一定幅である選択された旨を示す規定幅位置に変更するとともに、表示されている他の上位項目シンボルを、配置順序を維持しながら変更した前記選択画面である変更後の選択画面を前記表示部に表示すること、を特徴とする表示処理装置である。
【０００９】
また、請求項２にかかる発明は、請求項１に記載の表示処理装置において、前記表示処理手段は、前記選択された上位項目シンボルを、他の前記上位項目シンボルよりも拡大して配置した前記変更後の選択画面を表示すること、を特徴とする。
【００１０】
また、請求項３にかかる発明は、請求項１に記載の表示処理装置において、前記表示処理手段は、さらに、前記選択された上位項目シンボルに対応する前記上位設定項目の下位設定項目に対応し前記下位設定項目の選択指示を行うための下位項目シンボルを配置した前記変更後の選択画面を前記表示部に表示すること、を特徴とする。
【００１１】
また、請求項４にかかる発明は、請求項３に記載の表示処理装置において、前記表示処理手段は、複数の前記下位項目シンボルを格子状に配置した前記変更後の選択画面を前記表示部に表示すること、を特徴とする。
【００１２】
また、請求項５にかかる発明は、請求項４に記載の表示処理装置において、前記表示処理手段は、前記下位項目シンボルを前記上位項目シンボルよりも下方配置した前記変更後の選択画面を表示すること、を特徴とする。
【００１３】
また、請求項６にかかる発明は、請求項１に記載の表示処理装置において、前記表示処理手段は、前記複数の上位項目シンボルのそれぞれの間に、前記複数の上位項目シンボルを接続する曲線または直線の画像である線状画像を配置した前記変更後の選択画面を前記表示部に表示すること、を特徴とする。
【００１４】
また、請求項７にかかる発明は、請求項３〜６のいずれか一つに記載の表示処理装置において、前記表示処理手段は、前記選択された上位項目シンボル以外の前記上位項目シンボルに対応する前記下位項目シンボルを縮小して前記上位項目シンボルの近傍に配置した前記変更後の選択画面を表示すること、を特徴とする。
【００１５】
また、請求項８にかかる発明は、請求項７に記載の表示処理装置において、前記複数の上位項目シンボルと、前記上位項目シンボルを配置可能な領域を有する背景画面とを記憶する記憶手段を、さらに備え、前記表示処理手段は、前記記憶手段から前記上位項目シンボルと前記背景画面とを読み出して、読み出した前記複数の上位項目シンボルを前記背景画面に配置した前記選択画面を生成し、生成した前記選択画面を前記表示部に表示すること、を特徴とする。
【００１６】
また、請求項９にかかる発明は、請求項８に記載の表示処理装置において、前記表示処理手段は、前記選択された上位項目シンボルを、他の前記上位項目シンボルよりも拡大して前記背景画面に配置した前記変更後の選択画面を生成し、生成した前記変更後の選択画面を前記表示部に表示すること、を特徴とする。
【００１７】
また、請求項１０にかかる発明は、請求項８に記載の表示処理装置において、前記記憶手段は、さらに、前記下位項目シンボルを前記上位項目シンボルと対応付けて記憶し、前記表示処理手段は、さらに、前記記憶手段から前記選択された上位項目シンボルに対応する前記下位項目シンボルを読み出して、読み出した前記下位項目シンボルを前記背景画面に配置した前記変更後の選択画面を生成し、生成した前記変更後の選択画面を前記表示部に表示すること、を特徴とする。
【００１８】
また、請求項１１にかかる発明は、請求項１０に記載の表示処理装置において、前記表示処理手段は、複数の前記下位項目シンボルを前記背景画面に格子状に配置した前記変更後の選択画面を生成し、生成した前記変更後の選択画面を前記表示部に表示すること、を特徴とする。
【００１９】
また、請求項１２にかかる発明は、請求項１０に記載の表示処理装置において、前記表示処理手段は、前記上位項目シンボルを前記背景画面の上部に配置し、前記下位項目シンボルを前記上位項目シンボルよりも下方配置した前記変更後の選択画面を生成し、生成した前記変更後の選択画面を前記表示部に表示すること、を特徴とする。
【００２０】
また、請求項１３にかかる発明は、請求項１に記載の表示処理装置において、前記表示処理手段は、前記複数の上位項目シンボルのそれぞれの間に、前記複数の上位項目シンボルを接続する曲線または直線の画像である線状画像を前記背景画面に配置した前記変更後の選択画面を生成し、生成した前記変更後の選択画面を前記表示部に表示すること、を特徴とする。
【００２１】
また、請求項１４にかかる発明は、複数の上位設定項目のそれぞれに対応し前記上位設定項目の選択指示を行うための複数の上位項目シンボルを配置した選択画面を表示部に表示するステップと、前記複数の上位項目シンボルの中から、利用者による所望の前記上位項目シンボルの選択を受け付けるステップと、前記上位項目シンボルの選択を受け付けた場合、選択された上位項目シンボルを、画面の所定の一辺からの幅である選択された旨を示す規定幅位置に変更するとともに、表示されている他の上位項目シンボルを、配置順序を維持しながら変更した前記選択画面である変更後の選択画面を前記表示部に表示するステップと、を含むことを特徴とする表示処理方法である。
【００２２】
また、請求項１５にかかる発明は、複数の上位設定項目のそれぞれに対応し前記上位設定項目の選択指示を行うための複数の上位項目シンボルを配置した選択画面を表示部に表示するステップと、前記複数の上位項目シンボルの中から、利用者による所望の前記上位項目シンボルの選択を受け付けるステップと、前記上位項目シンボルの選択を受け付けた場合、選択された上位項目シンボルを、画面の所定の一辺からの幅である選択された旨を示す規定幅位置に変更するとともに、表示されている他の上位項目シンボルを、配置順序を維持しながら変更した前記選択画面である変更後の選択画面を前記表示部に表示するステップと、をコンピュータに実行させる表示処理プログラムである。
【発明の効果】
【００２３】
本発明によれば、上位項目シンボルを配置して表示部に表示し、上位項目シンボルの選択を受け付けた場合、選択された上位項目シンボルを、画面の所定の一辺からの幅である選択された旨を示す規定幅位置に変更するとともに、表示されている他の上位項目シンボルを、配置順序を維持しながら変更した選択画面である変更後の選択画面を表示部に表示することで、設定項目の内容が認識し易く、所望の設定項目の位置を容易に把握できるという効果を奏する。
【００２４】
また、本発明によれば、選択された上位項目シンボルに対応する下位項目シンボルを、格子状に配置して表示するため、各設定を行う設定処理等の操作性を向上させることができるという効果を奏する。
【００２５】
また、本発明によれば、選択した上位項目シンボル以外の上位項目シンボルに対応する下位項目シンボルをも縮小して表示されるため、選択されていない上位設定項目における下位設定項目の内容を容易に把握でき、より操作性を向上させることができるという効果を奏する。
【発明を実施するための最良の形態】
【００２６】
以下に添付図面を参照して、この発明にかかる表示処理装置、表示処理方法、および表示処理プログラムの最良な実施の形態を詳細に説明する。以下の実施の形態では、表示処理装置を、コピー、ファクシミリ、プリンタなどの複数の機能を一つの筐体に収納した複合機（ＭＦＰ）に適用した場合について説明する。
【００２７】
（第１の実施の形態）
第１の実施の形態にかかる表示処理装置は、複数のメニューアイコンを配置した選択画面を表示するものであって、いずれかのメニューアイコンが選択された場合には、選択されたメニューアイコンが画面の所定の一辺からの幅である選択された旨を示す規定幅位置に配置されるように、メニューアイコンを変更した選択画面である変更後の選択画面を表示するものである。ここで、変更後の選択画面とは、いずれかのメニューアイコンが選択された場合に表示される選択画面を示している。
【００２８】
アイコンとは、表示される画面上に、各種のデータや処理機能を絵又は絵文字として表示したものをいう。また、メニューアイコンとは、装置の各機能の項目であるメニュー項目のそれぞれに対応し、各メニュー項目の選択指示を行うアイコンを示している。また、本実施の形態では、画面にアイコンを表示するものであるが、これに限定されるものでなく、アイコンと、各種のデータや処理機能を記号や文字列等によって表示したものとを含むシンボルを表示してもよい。
【００２９】
図１は、第１の実施の形態にかかる表示処理装置の機能を実行することができるＭＦＰの機能ブロック図である。同図に示すようにＭＦＰ１００は、構成としてオペレーティングシステム１５３と、サービス層１５２と、アプリケーション層１５１と、記憶部１０４と、操作パネル２００とを備えている。
【００３０】
図１に示すように、ＭＦＰ１００の機能は階層関係となっており、オペレーティングシステム１５３の上層にサービス層１５２が構築され、サービス層１５２の上層に後述する本実施の形態の特徴部分が含まれたアプリケーション層１５１が構築されている。
【００３１】
オペレーティングシステム１５３は、ハードウェアリソースを含めたＭＦＰ１００の資源を管理し、サービス層１５２やアプリケーション層１５１に対して当該資源を利用した機能を提供する。
【００３２】
サービス層１５２は、ＭＦＰ１００が備えているハードウェアリソースを制御するドライバーに相当する。後述するアプリケーション層１５１の実行処理部１０５からの出力処理の要求に応じて、スキャナ制御部１２１、プロッタ制御部１２２、蓄積制御部１２３、配信／メール送受信制御部１２４、ＦＡＸ送受信制御部１２５、通信制御部１２６等からＭＦＰ１００が備えているハードウェアリソースを制御して、様々な機能が実行される。
【００３３】
記憶部１０４は、紙原稿から読み込まれた、またはメール若しくはＦＡＸから受信した画像データを記憶する。また、記憶部１０４は、操作パネル２００（後述）に表示するための画像として、メニューアイコン、サブメニューアイコン、設定アイコンの各アイコン画像を記憶する。
【００３４】
ここで、サブメニューアイコンとは、メニュー項目の下位項目であるサブメニュー項目の選択指示を行う下位項目アイコンであり、サブメニュー項目が属するメニュー項目と対応付けられて記憶部１０４に保存されている。対応付けは、メニューアイコンのファイル名とサブメニューアイコンのファイル名とを対応付けたテーブルなどを保持しておけばよい。
【００３５】
また、設定アイコンとは、メニュー項目またはサブメニュー項目の下位項目であって設定可能な設定項目の選択指示を行う下位項目アイコンであり、設定項目が属するメニュー項目のメニューアイコンまたは設定項目が属するサブメニュー項目のサブメニューアイコンと対応付けられて記憶部１０４に保存されている。対応付けは、メニューアイコンもしくはサブメニューアイコンのファイル名と設定アイコンのファイル名とを対応付けたテーブルなどを保持しておけばよい。
【００３６】
また、記憶部１０４は、上述した、メニューアイコンや、サブメニューアイコン、設定アイコンが配置可能な領域である背景画面（後述）の画像（背景画面画像）と、メニューアイコンを接続する曲線または直線の線状画像（後述）とを記憶する。
【００３７】
なお、記憶部１０４は、画像データ等のデータを記憶可能な記憶手段であり、例えばＨＤＤ（Hard Disk Drive）、光ディスク、メモリカードなどの一般的に用いられるあらゆる記憶媒体で構成することができる。
【００３８】
操作パネル２００は、選択画面の表示、選択画面上での入力の受け付けを行うユーザインターフェースである。
【００３９】
図２は、ＭＦＰの操作パネルの一例を示した図である。図２に示したように、かかる操作パネル２００は、初期設定キー２０１、コピーキー２０２、コピーサーバーキー２０３、プリンタキー２０４、送信キー２０５、テンキー２０６、クリア／ストップキー２０７、スタートキー２０８、予熱キー２０９、リセットキー２１０および液晶タッチパネル２２０を有する。そして、液晶タッチパネル２２０に本実施の形態の特徴となる画面が表示されることになるが、この画面については後述する。また、操作パネル２００の内部には、液晶タッチパネル２２０への各種画面の表示の制御や各キーあるいは液晶タッチパネル２２０からのキー入力を制御するＣＰＵ（Central Processing Unit）がＭＦＰ本体のＣＰＵとは別個に装備されている。この操作パネル２００のＣＰＵは、画面表示制御やキー入力制御のみを行うため、ＭＦＰ本体のＣＰＵの性能より低い性能となっている。
【００４０】
なお、ＭＦＰ１００は、記憶部１０４、操作パネル２００以外にもスキャナ、プロッタなどの様々なハードウェアリソースを備えているが、説明は後述する。
【００４１】
図１に戻り、アプリケーション層１５１は、表示処理部１０１と、選択受付部１０３と、実行処理部１０５と、利用者認証部１０６を備えている。
【００４２】
利用者認証部１０６は、ＭＦＰ１００を使用する際に、利用者認証を行う。利用者認証の方法としては、当業者で周知な技術であるか否かを問わず、どのような認証の方法を用いてもよい。利用者認証部１０６で利用者認証が成功した場合、ＭＦＰ１００で所定の機能の使用が許可される。許可される機能としては、例えば、Ｅ＿ｍａｉｌの送受信等が存在する。また、利用者認証部１０６による利用者認証は最初に行うこととし、後述する処理を行う場合、原則として、すでに利用者認証は済んでいるものとする。
【００４３】
表示処理部１０１は、液晶タッチパネル２２０に、各種機能の実行または設定項目の選択や設定を行うための選択画面などを表示するものである。本実施の形態では、メニューアイコンをＶ字状または直線状に配置した選択画面を表示して、選択受付部１０３で選択されたメニューアイコンを液晶タッチパネル２２０に対して垂直下方向に変更するとともに、当該メニューアイコン以外の他のメニューアイコンを、配置順序を維持しつつ変更した選択画面である変更後の選択画面に表示するという表示切り替えを行っている。また、表示処理部１０１は、選択されたメニューアイコンのメニュー項目に属するサブメニュー項目のサブメニューアイコンを、メニューアイコンの配置領域の下部に表示している。
【００４４】
図３は、選択画面であるＨｏｍｅ画面の一例を示す模式図である。Ｈｏｍｅ画面とは、利用者認証部１０６による利用者認証が成功した場合に、表示処理部１０１により、その利用者に固有のメニューアイコンが表示された選択画面である。
【００４５】
ここで、選択されたメニューアイコン等を配置した選択画面について説明する。本実施の形態では、Ｈｏｍｅ画面を表示するメニューアイコン「Ｈｏｍｅ」、Ｊｏｂｓ画面を表示するメニューアイコン「Ｊｏｂｓ」、Ｆｕｎｃｔｉｏｎｓ画面を表示するメニューアイコン「Ｆｕｎｃｔｉｏｎｓ」、Ｈｉｓｔｏｒｙ画面を表示するメニューアイコン「Ｈｉｓｔｏｒｙ」の４つのメニューアイコンを備えているものとする。
【００４６】
図３に示すように、液晶タッチパネル２２０に表示されるＨｏｍｅ画面は、Ｖ字状にメニューアイコン３０１、３０２、３０３、３０４が配置され、それぞれのメニューアイコンの間に実線の線状画像３０７が配置されて、これによりメニューアイコン３０１、３０２、３０３、３０４がＶ字状に接続されるように表示されている。そして、「Ｈｏｍｅ」のメニューアイコン３０２が、他のメニューアイコンと比較して大きく拡大して規定幅位置に表示されることで、「Ｈｏｍｅ」のメニューアイコン３０２が選択されていることを示している。
【００４７】
ここで、規定幅位置とは、メニューアイコンが選択された旨を示す位置であって、画面の所定の一辺からの一定幅を示す位置であり、具体的には、図３における画面下部の下縁部から一定の距離（幅Ｈ）の位置が規定幅位置となる。いずれのメニューアイコンが選択された場合でも、この規定幅位置に選択されたメニューアイコンが配置されるように、表示処理部１０１は選択されたメニューアイコンを画面における下方へ変更することになる。また、表示処理部１０１は、選択されたメニューアイコン以外の、液晶タッチパネル２２０に表示されているメニューアイコンを、選択されたメニューアイコンとの配列順序を維持しながら変更する。つまり、表示処理部１０１は、選択されたメニューアイコンを規定幅位置である幅Ｈの位置に変更することで、選択されたメニューアイコン３０２が画面下部から引っ張られているように、選択されたメニューアイコンを頂点にしてＶ字状に配置されるように変更し、複数（４つ）のメニューアイコンのそれぞれの間に線状画像３０７が配置されている。ここで、線状画像３０７は、複数のメニューアイコンをＶ字状または直線状に接続するように表示する曲線または直線からなる画像である。この線状画像は、例えば、実線、破線、点の集合等であって、メニューアイコンがＶ字状または直線状に接続可能なものであればよく、本実施の形態では実線の画像としているが、これに限定されるものではない。また、メニューアイコンが直線状に配置される場合については後述する。
【００４８】
また、Ｈｏｍｅ画面（選択画面）には、メニューアイコン３０１、３０２、３０３、３０４の下方に実線の境界線画像３０８が配置され、さらに下方に格子状に「Ｈｏｍｅ」のメニューアイコンに対応するサブメニューアイコンや設定アイコンのサブメニューアイコン群３０５が配置されて表示されている。ここで、境界線画像３０８は、メニューアイコンと、サブメニューアイコンや設定アイコンとの境目を示す直線状の画像である。境界線画像は、実線、破線、点の集合等であって、メニューアイコンと、サブメニューアイコンや設定アイコンとの境目を示すように配置されていればよい。本実施の形態では境界線画像を実線とし、これによりメニューアイコンとサブメニューアイコンとの領域が分割されていることが認識され易くなる。また、メニューアイコンが配置された領域と、サブメニューアイコンや設定アイコンが配置された領域とを異なる配色にすることで、メニューアイコンと、サブメニューアイコンや設定アイコンとの境目を示してもよい。例えば、メニューアイコンの配置領域の背景色を赤色に、サブメニューアイコンと設定アイコンの配置領域の背景色を青色にする等があげられる。
【００４９】
そして、サブメニューアイコン群３０５の右側にスクロールバー３０６を表示し、液晶タッチパネル２２０に表示しきれないサブメニューアイコンや設定アイコンの表示をスクロールさせて表示可能とする。
【００５０】
例えば、この図３のＨｏｍｅ画面において、メニュー項目「Ｆｕｎｃｔｉｏｎｓ」に対応するメニューアイコン３０１が利用者によって選択された場合、図４に示す選択画面が液晶タッチパネル２２０に表示される。
【００５１】
図４は、ＭＦＰに表示された選択画面の他の例を示す図である。図４に示すように、液晶タッチパネル２２０には、直線状にメニューアイコン７０１、７０２、７０３、７０４が配置され、それぞれのメニューアイコンの間に実線の線状画像７０７が配置されて、これによりメニューアイコン７０１、７０２、７０３、７０４が直線状に接続されるように表示されている。そして、「Ｆｕｎｃｔｉｏｎｓ」のメニューアイコン７０１が、他のメニューアイコンより拡大して規定幅位置に変更して表示されることで、「Ｆｕｎｃｔｉｏｎｓ」のメニューアイコン７０１が選択されていることを示している。「Ｆｕｎｃｔｉｏｎｓ」のメニューアイコン７０１が選択されたことで、「Ｆｕｎｃｔｉｏｎｓ」のメニューアイコン７０１が引っ張られるようにメニューアイコンが直線状に配置される。つまり、メニューアイコンは、「Ｆｕｎｃｔｉｏｎｓ」のメニューアイコン７０１、「Ｈｏｍｅ」のメニューアイコン７０２、「Ｈｉｓｔｏｒｙ」のメニューアイコン７０３、「Ｊｏｂｓ」のメニューアイコン７０４の順序で、画面右上に向かって一直線に配置されるよう変更する。また、選択画面には、メニューアイコン７０１、７０２、７０３、７０４の下方に実線の境界線画像７０８が配置され、さらに下方に格子状に「Ｆｕｎｃｔｉｏｎｓ」のメニューアイコンに対応するサブメニューアイコンや設定アイコンのサブメニューアイコン群７０５が配置され、サブメニューアイコン群７０５の右側にスクロールバー７０６が配置されている。
【００５２】
図５及び図６は、選択されるメニューアイコンとそれ以外のメニューアイコンとの関係を示す説明図である。図５では、４つのメニューアイコンＡ、Ｂ、Ｃ、Ｄが表示されており、メニューアイコンＢが選択されている状態である。従って、メニューアイコンＢが規定幅位置（幅Ｈ）に変更し、他のメニューアイコンより拡大して表示されている。この場合は、メニューアイコンＢが画面の下方に引っ張られているような状態であり、メニューアイコンＢを頂点として、画面左上に向かってメニューアイコンＡが配置され、画面右上に向かってメニューアイコンＣ、Ｄが配置されることで、メニューアイコンＡ、Ｂ、Ｃ、ＤがＶ字状に表示されている。
【００５３】
そして、図５の選択画面においてメニューアイコンＡが表示されると、図６に示すように、メニューアイコンＡが規定幅位置（幅Ｈ）に変更し、他のメニューアイコンより拡大して表示されている。この場合は、メニューアイコンＡが画面の下方に引っ張られているような状態であり、メニューアイコンＡを端部として、画面右上に向かってメニューアイコンＢ、Ｃ、Ｄが配置されることで、メニューアイコンＡ、Ｂ、Ｃ、Ｄが直線状に表示されている。
【００５４】
また、メニューアイコンＣが選択された場合は、メニューアイコンＣが画面の下方に引っ張られているような状態であり、メニューアイコンＣを頂点として、画面左上に向かってメニューアイコンＢ、Ａが配置され、画面右上に向かってメニューアイコンＤが配置されることで、メニューアイコンＡ、Ｂ、Ｃ、ＤがＶ字状に表示されることになる。また、メニューアイコンＤが選択された場合は、メニューアイコンＤが画面の下方に引っ張られているような状態であり、メニューアイコンＤを端部として、画面左上に向かってメニューアイコンＣ、Ｂ、Ａが配置されることで、メニューアイコンＡ、Ｂ、Ｃ、Ｄが直線状に表示されることになる。これは、例えば、メニューアイコンが紐状の弾性体に接続された状態で選択されたメニューアイコンが引っ張られるように、選択されたアイコンが規定幅位置に変更するとともに他のメニューアイコンも変更するようになっている。
【００５５】
表示処理部１０１は、以上説明したように、選択画面の表示および切り替えを実行するものであるが、具体的には、次のような処理を行っている。選択画面を液晶タッチパネル２２０に表示する場合、利用者認証部１０６による利用者認証が成功すると、最初にＨｏｍｅ画面を表示する（図３参照）。すなわち、表示処理部１０１は、記憶部１０４から、メニューアイコン画像、背景画面画像、線状画像、「Ｈｏｍｅ」のメニューアイコンに対応するサブメニューアイコン画像と設定アイコン画像を読み出す。ここで、背景画面画像とは、選択画面からメニューアイコン、サブメニューアイコン、線状画像を消去した状態の画面である。すなわち、背景画面画像は、境界線画像３０８のみが描画された画面画像である。
【００５６】
そして、表示処理部１０１は、読み出した「Ｈｏｍｅ」のメニューアイコンを規定幅位置に変更して配置するとともに、「Ｈｏｍｅ」のメニューアイコンを含む複数のメニューアイコンを、背景画面の上部に「Ｈｏｍｅ」のメニューアイコンを頂点にしてＶ字状に配置し、それぞれのメニューアイコンの間に実線の線状画像３０７を配置し、さらに、読み出したサブメニューアイコンや設定アイコンを背景画面におけるメニューアイコンの下方であって、境界線画像の下方である背景画面の下部に格子状に配置して選択画面を生成し、生成された選択画面を液晶タッチパネル２２０に表示する。このように、メニューアイコンの下方にサブメニューアイコン等を配置することで、それらのアイコンに対応する項目の関係が上位概念と下位概念であることが暗示できる。また、格子状に配置する場合、例えば、４５度の傾斜をつけて格子状に配置したり、市松模様に配置したり、水平垂直の格子状に配置することができる。また、本実施の形態では、水平垂直な格子状に配置し、これにより見た目を簡潔に表示できるとともに、表示に必要な領域を小さくできる。
【００５７】
このとき、表示処理部１０１は、選択を受け付け規定幅位置に配置されるメニューアイコン、この場合は「Ｈｏｍｅ」アイコンを、他のメニューアイコンと比較して一目で把握できる大きさに拡大して配置して液晶タッチパネル２２０に表示する。また、選択を受け付けたメニューアイコン以外を、全て一定の大きさにして表示してもよいし、選択されたメニューアイコンから遠ざかるに連れて徐々に小さく表示してもよい。
【００５８】
さらに、表示処理部１０１は、読み出した選択されたメニューアイコンに対応するサブメニューアイコン、設定アイコンを背景画面におけるメニューアイコンの下方に格子状に配置する。そして、表示処理部１０１は、メニューアイコン、サブメニューアイコン、設定アイコンを配置した背景画面を選択画面として液晶タッチパネル２２０に表示する。
【００５９】
また、他のメニューアイコンを選択した場合の選択画面について説明する。図７は、ＭＦＰに表示された選択画面の他の一例を示す図である。図７では、図３におけるＨｏｍｅ画面において、「Ｊｏｂｓ」のメニューアイコンが選択された場合を示している。図７に示すように、液晶タッチパネル２２０には、背景画面に直線状にメニューアイコン８０１、８０２、８０３、８０４が配置され、それぞれのメニューアイコンの間に実線の線状画像８０７が配置されて、これによりメニューアイコン８０１、８０２、８０３、８０４が直線状に接続されるように表示されている。そして、「Ｊｏｂｓ」のメニューアイコン８０４が、他のメニューアイコンより拡大して規定幅位置に表示されることで、「Ｊｏｂｓ」のメニューアイコン８０４が選択されていることを示している。そして、表示処理部１０１は、幅Ｈの位置まで変更した「Ｊｏｂｓ」のメニューアイコン８０４が画面下部から引っ張られているように、「Ｊｏｂｓ」のメニューアイコン８０４から左上に向かって、「Ｈｉｓｔｏｒｙ」のメニューアイコン８０３、「Ｈｏｍｅ」のメニューアイコン８０２、「Ｆｕｎｃｔｉｏｎｓ」のメニューアイコン８０１の順序で直線状に配置されるように変更し、複数（４つ）のメニューアイコンのそれぞれの間に線状画像８０７に配置されている。また、選択画面には、メニューアイコン８０１、８０２、８０３、８０４の下方に実線の境界線画像８０８が配置され、さらに下方に格子状に「Ｊｏｂｓ」のメニューアイコンに対応するサブメニューアイコンや設定アイコンのサブメニューアイコン群８０５が配置されて表示され、サブメニューアイコン群８０５の右側にスクロールバー８０６が配置されている。
【００６０】
さらに、他のメニューアイコンを選択した場合の選択画面について説明する。図８は、ＭＦＰに表示された選択画面の他の一例を示す図である。図８では、図３におけるＨｏｍｅ画面において、「Ｈｉｓｔｏｒｙ」のメニューアイコンが選択された場合を示している。図８に示すように、液晶タッチパネル２２０には、背景画面にＶ字状にメニューアイコン９０１、９０２、９０３、９０４が配置され、それぞれのメニューアイコンの間に実線の線状画像９０７が配置されて、これによりメニューアイコン９０１、９０２、９０３、９０４がＶ字状に接続されるように表示されている。そして、「Ｈｉｓｔｏｒｙ」のメニューアイコン９０３が、他のメニューアイコンより拡大して規定幅位置に表示されることで、「Ｈｉｓｔｏｒｙ」のメニューアイコン９０３が選択されていることを示している。そして、表示処理部１０１は、幅Ｈの位置まで変更した「Ｈｉｓｔｏｒｙ」のメニューアイコン９０３が画面下部から引っ張られているように、「Ｈｉｓｔｏｒｙ」のメニューアイコン９０３を頂点にしてＶ字状に配置されるように変更し、複数（４つ）のメニューアイコンのそれぞれの間に線状画像９０７が配置されている。また、選択画面には、メニューアイコン９０１、９０２、９０３、９０４の下方に実線の境界線画像９０８が配置され、さらに「Ｈｉｓｔｏｒｙ」のメニューアイコンに対応するＭＦＰ１００の履歴（サブメニューアイコン）９０５が配置されて表示され、履歴９０５の右側にスクロールバー９０６が配置されている。
【００６１】
選択受付部１０３は、表示処理部１０１により表示された選択画面における複数のメニューアイコンから、利用者による所望のメニューのメニューアイコンの選択を受け付ける。具体的には、表示処理部１０１により液晶タッチパネル２２０に表示されたメニュー項目を利用者により押下された場合、選択受付部１０３は、その押下されたメニュー項目が選択されたものとして受け付ける。また、選択受付部１０３は、初期設定キー２０１等の各種ボタンからの入力を受け付ける。
【００６２】
実行処理部１０５は、入力処理部１１１および出力処理部１１２を備え、ＭＦＰ１００が有する機能を用いた入出力処理を実行する。そして、実行処理部１０５で処理した内容に基づいて、サービス層１５２に備えられた各制御部が、ハードウェアリソースを制御することで、ハードウェアを用いた処理が行われる。
【００６３】
入力処理部１１１は、選択受付部１０３により選択を受け付けたメニューアイコンにおける設定アイコンに対応する入力機能を用いた画像データを入力処理する。例えば、選択受付部１０３が、設定アイコン「Ｄｅｓｉｇｎ Ｐｒｉｎｔ」の選択を受け付けた場合、入力処理部１１１がスキャナ制御部１２１より図示しないスキャナを制御することで、紙原稿の読み込み処理を行う。
【００６４】
出力処理部１１２は、選択受付部１０３により選択を受け付けたメニューアイコンにおける設定アイコンに対応する出力機能を用いた画像データを出力処理する。例えば、選択受付部１０３が、設定アイコン「Ｄｅｓｉｇｎ Ｐｒｉｎｔ」の選択を受け付けた場合、出力処理部１１２がプロッタ制御部１２２により図示しないプロッタを制御することで、紙原稿として印刷処理を制御する。
【００６５】
次に、このように構成された第１の実施の形態にかかるＭＦＰ１００による表示処理について説明する。図９は、第１の実施の形態における表示処理の全体の流れを示すフローチャートである。
【００６６】
まず、選択受付部１０３が、利用者が入力したログイン情報を受け付ける（ステップＳ１０）。具体的には、選択受付部１０３は、ログイン画面上で入力されたユーザ名およびパスワードをログイン情報として受け付ける。ログイン画面とは、例えば、初期画面に表示されるログイン用のボタンを利用者が選択した際などに表示される画面である。
【００６７】
次に、利用者認証部１０６が、選択受付部１０３により受け付けたログイン情報を元に利用者認証の処理を行う（ステップＳ１１）。利用者認証が成功すると、表示処理部１０１は、その利用者のＨｏｍｅ画面を表示するため、記憶部１０４から背景画面画像と、線状画像と、メニューアイコン画像と、「Ｈｏｍｅ」のメニューアイコンに対応するサブメニューアイコン画像や設定アイコン画像を読み出す。表示処理部１０１は、読み出した背景画面にメニューアイコンをＶ字状に配置する（ステップＳ１２）。表示処理部１０１は、背景画面のメニューアイコンの下方に、「Ｈｏｍｅ」のメニューアイコンに対応するサブメニューアイコンや設定アイコンを格子状に配置する（ステップＳ１３）。表示処理部１０１は、メニューアイコンの位置に応じて、メニューアイコンをＶ字状に接続するように、各メニューアイコンの間に線状画像を配置する（ステップＳ１４）。そして、表示処理部１０１は、メニューアイコン、サブメニューアイコンや設定アイコン、線状画像を配置することで生成した、ログインした利用者のＨｏｍｅ画面を液晶タッチパネル２２０に表示する（ステップＳ１５）。このＨｏｍｅ画面が図３のＨｏｍｅ画面である。
【００６８】
次に、選択受付部１０３は、他のメニューアイコンの選択を受け付けたか否かを判断する（ステップＳ１６）。他のメニューアイコンにより表示される選択画面とは、定型的な処理を定義したジョブ（Ｊｏｂ）を表示するＪｏｂｓ画面、ＭＦＰ１００の個々の機能（コピー、ＦＡＸ送信など）を表示するＦｕｎｃｔｉｏｎｓ画面、および処理の履歴を表示するＨｉｓｔｏｒｙ画面などをいう。
【００６９】
他のメニューアイコンの選択を受け付けた場合（ステップＳ１６：Ｙｅｓ）、表示処理部１０１は、選択されたメニューアイコンを背景画面の規定幅位置まで下方向に変更して配置し、他のメニューアイコンを、選択されたメニューアイコンの位置に応じて変更して、メニューアイコンをＶ字状または直線状に配置する（ステップＳ１７）。そして、表示処理部１０１は、記憶部１０４から選択されたメニューアイコンに対応するサブメニューアイコン画像や設定アイコン画像、線状画像を読み出す。表示処理部１０１は、背景画面のメニューアイコンの下方に、選択されたメニューアイコンに対応するサブメニューアイコンや設定アイコンを配置する（ステップＳ１８）。表示処理部１０１は、選択されたメニューアイコンの位置に応じて、メニューアイコンをＶ字状または直線状に接続するように、各メニューアイコンの間に線状画像を配置する（ステップＳ１９）。そして、表示処理部１０１は、メニューアイコン、サブメニューアイコンや設定アイコン、線状画像を背景画面に配置することで生成した選択画面として液晶タッチパネル２２０に表示する（ステップＳ２０）。ここで表示した選択画面（変更後の選択画面）が図４、図７、図８などの選択画面である。
【００７０】
一方、ステップＳ１６に戻って、他のメニューアイコンの選択を受け付けなかった場合（ステップＳ１６：Ｎｏ）、他の選択画面は表示されずにステップＳ２１の処理へ進む。
【００７１】
次に、選択画面から設定アイコンの選択を受け付けたか否かの判断をする（ステップＳ２１）。設定アイコンの選択を受け付けた場合（ステップＳ２１：Ｙｅｓ）、表示処理部１０１は、その設定アイコンに対応する設定画面を液晶タッチパネル２２０に表示する（ステップＳ２２）。そして、表示された設定画面から各種設定を行う。一方、設定アイコンの選択を受け付けなかった場合（ステップＳ２１：Ｎｏ）、ステップＳ２２の処理は行わない。また、表示処理部１０１により表示した選択画面において、設定アイコンが表示されていない場合も、ステップＳ２２の処理は行わない。
【００７２】
次に、選択受付部１０３は、ログアウト要求を受け付けたか否かを判断する（ステップＳ２３）。ログアウト要求は、例えば、画面の下部に表示されるログアウト用のボタンが選択されたときに受け付ける。
【００７３】
ログアウト要求を受け付けていない場合（ステップＳ２３：Ｎｏ）、他のメニューアイコンの選択受付処理に戻り処理が繰り返される（ステップＳ１６）。一方、ログアウト要求を受け付けた場合（ステップＳ２３：Ｙｅｓ）、表示処理部１０１は、ログイン前の初期画面を表示する（ステップＳ２４）。
【００７４】
このように、第１の実施の形態では、複数のメニューアイコンを配置した選択画面を表示し、利用者からのメニューアイコンの選択を受け付けた場合、選択されたメニューアイコンを、画面の所定の一辺からの一定幅である選択された旨を示す規定幅位置に変更するとともに、表示されている他のメニューアイコンを、配置順序を維持しながら変更した選択画面である変更後の選択画面を液晶タッチパネル２２０に表示する。そして、選択されたメニューアイコンの下方に、選択されたメニューアイコンに対応するサブメニューアイコンや設定アイコンを表示する。従って、メニューアイコンを、配置順序を維持したまま変更させることで、選択画面に表示されたメニューアイコンの内容が認識し易く、所望のメニューアイコンの位置を容易に把握できる。また、選択されたメニューアイコンに対応するサブメニューアイコンや設定アイコンを、格子状に配置して表示するため、各設定を行う設定処理等の操作性を向上させることができる。
【００７５】
（第２の実施の形態）
第１の実施の形態では、複数のメニューアイコンを配置した選択画面を表示し、いずれかのメニューアイコンが選択された場合には、選択されたメニューアイコンを、画面の所定の一辺からの一定幅である選択された旨を示す規定幅位置に変更するとともに、メニューアイコンの下方に選択されたメニューアイコンに対応するサブメニューアイコン等を配置した選択画面を表示するものである。第２の実施の形態では、さらに、選択されていないメニューアイコンそれぞれに対応するサブメニューアイコン等を縮小して、選択されていないメニューアイコンの近傍に表示するものである。
【００７６】
本実施の形態のＭＦＰの構成は、第１の実施の形態と同様であるため、図１を参照して、第１の実施の形態と異なる機能を有する構成について説明する。
【００７７】
表示処理部１０１は、第１の実施の形態における機能に加え、選択されたメニューアイコン以外のメニューアイコンに対応するサブメニューアイコンや設定アイコンを縮小してメニューアイコンの近傍に配置した選択画面を表示するものである。
【００７８】
図１０は、選択画面であるＨｏｍｅ画面の一例を示す模式図である。図１０に示すように、液晶タッチパネル２２０に表示されるＨｏｍｅ画面は、図３と同様、Ｖ字状にメニューアイコン１００１、１００２、１００３、１００４が配置され、それぞれのメニューアイコンの間に実線の線状画像１０１０が配置されて、これによりメニューアイコン１００１、１００２、１００３、１００４がＶ字状に接続されるように表示されている。そして、「Ｈｏｍｅ」のメニューアイコン１００２が、他のメニューアイコンと比較して大きく拡大して規定幅位置に表示されることで、「Ｈｏｍｅ」のメニューアイコン１００２が選択されていることを示している。
【００７９】
また、Ｈｏｍｅ画面（選択画面）には、メニューアイコン１００１、１００２、１００３、１００４の下方に実線の境界線画像１０１１が配置され、さらに下方に格子状に「Ｈｏｍｅ」のメニューアイコンに対応するサブメニューアイコンや設定アイコンのサブメニューアイコン群１００５が配置されて表示されている。サブメニューアイコン群１００５の右側にスクロールバー１００６を表示し、液晶タッチパネル２２０に表示しきれないサブメニューアイコンや設定アイコンの表示をスクロールさせて表示可能とする。
【００８０】
さらに、第２の実施の形態では、「Ｈｏｍｅ」メニューアイコン以外のメニューアイコンに対応するサブメニューアイコンや設定アイコンを縮小した縮小サブメニューアイコン群１００７、１００８、１００９が「Ｈｏｍｅ」以外のメニューアイコンの近傍に配置されて表示されている。第２の実施の形態では、表示処理部１０１は、利用者からメニューアイコンの選択があった場合、このような選択画面を切り替え表示している。
【００８１】
具体的には、表示処理部１０１は、次のような処理を行っている。利用者認証部１０６による利用者認証が成功すると、表示処理部１０１は、記憶部１０４から、メニューアイコン画像、背景画面画像、線状画像、「Ｈｏｍｅ」のメニューアイコンに対応するサブメニューアイコン画像と設定アイコン画像、「Ｈｏｍｅ」以外のメニューアイコンであって、Ｈｏｍｅ画面に表示されるメニューアイコンに対応するサブメニューアイコン画像と設定アイコン画像を読み出す。表示処理部１０１は、読み出した「Ｈｏｍｅ」のメニューアイコンを規定幅位置に変更して配置するとともに、「Ｈｏｍｅ」のメニューアイコンを含む複数のメニューアイコンを、背景画面の上部に「Ｈｏｍｅ」のメニューアイコンを頂点にしてＶ字状に配置し、それぞれのメニューアイコンの間に実線の線状画像１０１０を配置し、読み出した「Ｈｏｍｅ」のメニューアイコンに対応するサブメニューアイコンや設定アイコンを背景画面におけるメニューアイコンの下方であって、境界線画像の下方である背景画面の下部に格子状に配置し、さらに、読み出した「Ｈｏｍｅ」以外のメニューアイコンに対応するサブメニューアイコンや設定アイコンを縮小して「Ｈｏｍｅ」以外のメニューアイコンの近傍に配置して選択画面を生成し、生成された選択画面を液晶タッチパネル２２０に表示する。このとき、表示処理部１０１は、選択を受け付け規定幅位置に配置されるメニューアイコン、この場合は「Ｈｏｍｅ」アイコンを、他のメニューアイコンと比較して一目で把握できる大きさに拡大して配置して液晶タッチパネル２２０に表示する。また、表示処理部１０１は、「Ｈｏｍｅ」以外のメニューアイコンを選択した場合でも同様に、選択したメニューアイコン以外のメニューアイコンの近傍に、それぞれのサブメニューアイコンや設定アイコンを縮小して表示する。
【００８２】
次に、このように構成された第２の実施の形態にかかるＭＦＰ１００による表示処理について説明する。図１１は、第２の実施の形態における表示処理の全体の流れを示すフローチャートである。
【００８３】
まず、利用者からのログイン情報の受付から利用者認証までの処理（ステップＳ３０、３１）は、第１の実施の形態における図９と同様であるため説明を省略する（ステップＳ１０、１１）。
【００８４】
利用者認証が成功すると、表示処理部１０１は、その利用者のＨｏｍｅ画面を表示するため、記憶部１０４から背景画面画像と、線状画像と、メニューアイコン画像と、「Ｈｏｍｅ」のメニューアイコンに対応するサブメニューアイコン画像や設定アイコン画像と、「Ｈｏｍｅ」以外のメニューアイコンに対応するサブメニューアイコン画像や設定アイコン画像とを読み出す。表示処理部１０１は、読み出した背景画面にメニューアイコンをＶ字状に配置する（ステップＳ３２）。表示処理部１０１は、背景画面のメニューアイコンの下方に、「Ｈｏｍｅ」のメニューアイコンに対応するサブメニューアイコンや設定アイコンを格子状に配置する（ステップＳ３３）。表示処理部１０１は、メニューアイコンの位置に応じて、メニューアイコンをＶ字状に接続するように、各メニューアイコンの間に線状画像を配置する（ステップＳ３４）。また、表示処理部１０１は、読み出した「Ｈｏｍｅ」のメニューアイコン以外のメニューアイコンに対応するサブメニューアイコンや設定アイコンを縮小して、「Ｈｏｍｅ」以外のメニューアイコンそれぞれの近傍に配置する（ステップＳ３５）。そして、表示処理部１０１は、メニューアイコン、サブメニューアイコンや設定アイコン、線状画像を配置することで生成した、ログインした利用者のＨｏｍｅ画面を液晶タッチパネル２２０に表示する（ステップＳ３６）。このＨｏｍｅ画面が図１０のＨｏｍｅ画面である。
【００８５】
次に、選択受付部１０３は、他のメニューアイコンの選択を受け付けたか否かを判断する（ステップＳ３７）。他のメニューアイコンの選択を受け付けた場合（ステップＳ３７：Ｙｅｓ）、表示処理部１０１は、選択されたメニューアイコンを背景画面の規定幅位置まで下方向に変更して配置し、他のメニューアイコンを、選択されたメニューアイコンの位置に応じて変更して配置する（ステップＳ３８）。そして、表示処理部１０１は、記憶部１０４から選択されたメニューアイコンに対応するサブメニューアイコン画像や設定アイコン画像と、選択されたメニューアイコン以外のメニューアイコンに対応するサブメニューアイコン画像や設定アイコン画像と、線状画像とを読み出す。表示処理部１０１は、背景画面のメニューアイコンの下方に、選択されたメニューアイコンに対応するサブメニューアイコンや設定アイコンを配置する（ステップＳ３９）。表示処理部１０１は、選択されたメニューアイコンの位置に応じて、メニューアイコンをＶ字状または直線状に接続するように、各メニューアイコンの間に線状画像を配置する（ステップＳ４０）。また、表示処理部１０１は、読み出した選択されたメニューアイコン以外のメニューアイコンに対応するサブメニューアイコンや設定アイコンを縮小して、選択されたメニューアイコン以外のメニューアイコンそれぞれの近傍に配置する（ステップＳ４１）。そして、表示処理部１０１は、メニューアイコン、サブメニューアイコンや設定アイコン、線状画像を背景画面に配置することで生成した選択画面として液晶タッチパネル２２０に表示する（ステップＳ４２）。
【００８６】
一方、ステップＳ３７に戻って、他のメニューアイコンの選択を受け付けなかった場合（ステップＳ３７：Ｎｏ）、他の選択画面は表示されずにステップＳ４３の処理へ進む。次に、設定アイコンの選択から初期画面の表示までの処理（ステップＳ４３〜４６）は、第１の実施の形態における図９と同様であるため説明を省略する（ステップＳ２１〜２４）。
【００８７】
このように、第２の実施の形態では、複数のメニューアイコンを配置した選択画面を表示し、利用者からのメニューアイコンの選択を受け付けた場合、選択されたメニューアイコンを、画面の所定の一辺からの一定幅である選択された旨を示す規定幅位置に変更するとともに、表示されている他のメニューアイコンを、配置順序を維持しながら変更した選択画面である変更後の選択画面を液晶タッチパネル２２０に表示する。そして、選択されたメニューアイコンの下方に、選択されたメニューアイコンに対応するサブメニューアイコンや設定アイコンを表示する。また、選択されていないメニューアイコンの近傍に、選択されていないメニューアイコンに対応するサブメニューアイコンや設定アイコンを縮小して表示する。従って、メニューアイコンを、配置順序を維持したまま変更させることで、選択画面に表示されたメニューアイコンの内容が認識し易く、所望のメニューアイコンの位置を容易に把握できる。また、選択されたメニューアイコンに対応するサブメニューアイコンや設定アイコンを、格子状に配置して表示するため、各設定を行う設定処理等の操作性を向上させることができる。さらに、選択されたメニューアイコン以外のメニューアイコンに対応するサブメニューアイコンや設定アイコンも表示されるため、選択されていないメニュー項目におけるサブメニュー項目や設定項目の内容を容易に把握でき、より操作性を向上させることができる。
【００８８】
（第３の実施の形態）
第１、２の実施の形態では、表示処理部１０１によって、メニューアイコンを上部に配置し、メニューアイコンの下方にサブメニューアイコン等を配置することで上下に表示しているが、これに限定されるものではない。例えば、表示処理部１０１によって、メニューアイコンを左側に配置し、メニューアイコンの右側にサブメニューアイコン等を配置することで左右に表示してもよい。なお、メニューアイコンとサブメニューアイコン等の配置以外は、第１の実施の形態と同様であるため、説明を省略する。
【００８９】
図１２は、選択画面であるＨｏｍｅ画面の一例を示す模式図である。図１２に示すように、液晶タッチパネル２２０に表示されるＨｏｍｅ画面は、画面の左側に、横向きのＶ字状にメニューアイコン１１０１、１１０２、１１０３、１１０４が配置され、それぞれのメニューアイコンの間に実線の線状画像１１０７が配置されて、これによりメニューアイコン１１０１、１１０２、１１０３、１１０４が横向きのＶ字状に接続されるように表示されている。そして、「Ｈｏｍｅ」のメニューアイコン１１０２が、他のメニューアイコンと比較して大きく拡大して表示されることで、「Ｈｏｍｅ」のメニューアイコン１１０２が選択されていることを示している。
【００９０】
また、表示処理部１０１は、選択されたメニューアイコン以外の、液晶タッチパネル２２０に表示されているメニューアイコンを、選択されたメニューアイコンとの配列順序を維持しながら変更する。具体的には、表示処理部１０１は、選択されたメニューアイコン１１０２が画面右側から引っ張られているように、選択されたメニューアイコンを頂点にして横向きのＶ字状に配置されるように変更し、複数（４つ）のメニューアイコンのそれぞれの間に線状画像１１０７が配置されている。線状画像１１０７は、第１、２の実施の形態と同様に、複数のメニューアイコンを横向きのＶ字状または直線状に接続するように表示する曲線または直線からなる画像である。
【００９１】
また、Ｈｏｍｅ画面（選択画面）には、メニューアイコン１１０１、１１０２、１１０３、１１０４の右側に実線の境界線画像１１０８が配置され、さらに右側に格子状に「Ｈｏｍｅ」のメニューアイコンに対応するサブメニューアイコンや設定アイコンのサブメニューアイコン群１１０５が配置されて表示されている。境界線画像１１０８は、第１、２の実施の形態と同様に、メニューアイコンと、サブメニューアイコンや設定アイコンとの境目を示す直線状の画像である。
【００９２】
そして、サブメニューアイコン群１１０５の右側にスクロールバー１１０６を表示し、液晶タッチパネル２２０に表示しきれないサブメニューアイコンや設定アイコンの表示をスクロールさせて表示可能とする。
【００９３】
このように、第３の実施の形態では、複数のメニューアイコンを配置した選択画面を表示し、利用者からのメニューアイコンの選択を受け付けた場合、選択されたメニューアイコンを、規定幅位置に変更するとともに、表示されている他のメニューアイコンを、配置順序を維持しながら変更した選択画面を液晶タッチパネル２２０に表示する。そして、選択されたメニューアイコンの右側に、選択されたメニューアイコンに対応するサブメニューアイコンや設定アイコンを表示する。従って、メニューアイコンを、配置順序を維持したまま変更させることで、選択画面に表示されたメニューアイコンの内容が認識し易く、所望のメニューアイコンの位置を容易に把握できる。また、選択されたメニューアイコンに対応するサブメニューアイコンや設定アイコンを、格子状に配置して表示するため、各設定を行う設定処理等の操作性を向上させることができる。
【００９４】
（第４の実施の形態）
第１、２の実施の形態では、表示処理部１０１によって、メニューアイコンを上部に配置し、メニューアイコンの下方にサブメニューアイコン等を配置することで上下に表示しているが、表示処理部１０１によって、メニューアイコンを左上に配置し、メニューアイコンの右下にサブメニューアイコン等を配置することで斜めに表示してもよい。なお、メニューアイコンとサブメニューアイコン等の配置以外は、第１の実施の形態と同様であるため、説明を省略する。
【００９５】
図１３は、選択画面であるＨｏｍｅ画面の一例を示す模式図である。図１３に示すように、液晶タッチパネル２２０に表示されるＨｏｍｅ画面は、画面の左上に、Ｖ字状にメニューアイコン１２０１、１２０２、１２０３、１２０４が配置され、それぞれのメニューアイコンの間に実線の線状画像１２０７が配置されて、これによりメニューアイコン１２０１、１２０２、１２０３、１２０４がＶ字状に接続されるように表示されている。そして、「Ｈｏｍｅ」のメニューアイコン１２０２が、他のメニューアイコンと比較して大きく拡大して表示されることで、「Ｈｏｍｅ」のメニューアイコン１２０２が選択されていることを示している。
【００９６】
また、表示処理部１０１は、選択されたメニューアイコン以外の、液晶タッチパネル２２０に表示されているメニューアイコンを、選択されたメニューアイコンとの配列順序を維持しながら変更する。具体的には、表示処理部１０１は、選択されたメニューアイコン１１０２が画面右下側から引っ張られているように、選択されたメニューアイコンを頂点にしてＶ字状に配置されるように変更し、複数（４つ）のメニューアイコンのそれぞれの間に線状画像１２０７が配置されている。線状画像１２０７は、第１、２の実施の形態と同様に、複数のメニューアイコンを横向きのＶ字状または直線状に接続するように表示する曲線または直線からなる画像である。
【００９７】
また、Ｈｏｍｅ画面（選択画面）には、メニューアイコン１２０１、１２０２、１２０３、１２０４の右下に実線の境界線画像１２０８が配置され、さらに右下に格子状に「Ｈｏｍｅ」のメニューアイコンに対応するサブメニューアイコンや設定アイコンのサブメニューアイコン群１２０５が配置されて表示されている。境界線画像１２０８は、第１、２の実施の形態と同様に、メニューアイコンと、サブメニューアイコンや設定アイコンとの境目を示す直線状の画像である。
【００９８】
そして、サブメニューアイコン群１２０５の右側にスクロールバー１２０６を表示し、液晶タッチパネル２２０に表示しきれないサブメニューアイコンや設定アイコンの表示をスクロールさせて表示可能とする。
【００９９】
このように、第４の実施の形態では、複数のメニューアイコンを配置した選択画面を表示し、利用者からのメニューアイコンの選択を受け付けた場合、選択されたメニューアイコンを、規定幅位置に変更するとともに、表示されている他のメニューアイコンを、配置順序を維持しながら変更した選択画面を液晶タッチパネル２２０に表示する。そして、選択されたメニューアイコンの右下に、選択されたメニューアイコンに対応するサブメニューアイコンや設定アイコンを表示する。従って、メニューアイコンを、配置順序を維持したまま変更させることで、選択画面に表示されたメニューアイコンの内容が認識し易く、所望のメニューアイコンの位置を容易に把握できる。また、選択されたメニューアイコンに対応するサブメニューアイコンや設定アイコンを、格子状に配置して表示するため、各設定を行う設定処理等の操作性を向上させることができる。
【０１００】
（第５の実施の形態）
第１、２の実施の形態では、表示処理部１０１によって、メニューアイコンを上部に配置し、メニューアイコンの下方にサブメニューアイコン等を配置することで上下に表示しているが、表示処理部１０１によって、メニューアイコンの表示領域（以下、「メニューアイコン領域」という。）とサブメニューアイコン等の表示領域（以下、「サブメニューアイコン領域」という。）とを別画面で構成し、メニューアイコン領域の画面を選択画面の奥側に配置し、その上にサブメニューアイコン領域の画面を重畳して配置することでメニューアイコン領域とサブメニューアイコン領域とを前後に重畳表示してもよい。なお、メニューアイコンとサブメニューアイコン等の配置以外は、第１の実施の形態と同様であるため、説明を省略する。
【０１０１】
図１４は、選択画面であるＨｏｍｅ画面の一例を示す模式図である。図１４に示すように、液晶タッチパネル２２０に表示されるＨｏｍｅ画面は、メニューアイコン領域１３０８とサブメニューアイコン領域１３０９とが、メニューアイコン領域１３０８を奥側にして重畳表示されている。そして、メニューアイコン領域１３０８には、Ｖ字状にメニューアイコン１３０１、１３０２、１３０３、１３０４が配置され、それぞれのメニューアイコンの間に実線の線状画像１３０７が配置されて、これによりメニューアイコン１３０１、１３０２、１３０３、１３０４がＶ字状に接続されるように表示され、画面の上部の奥側に表示されている。そして、「Ｈｏｍｅ」のメニューアイコン１３０２が、他のメニューアイコンと比較して大きく拡大して表示されることで、「Ｈｏｍｅ」のメニューアイコン１３０２が選択されていることを示している。また、サブメニューアイコン領域１３０９には、サブメニューアイコンとスクロールバー１３０６とが表示されている。
【０１０２】
また、表示処理部１０１は、選択されたメニューアイコン以外の、液晶タッチパネル２２０に表示されているメニューアイコンを、選択されたメニューアイコンとの配列順序を維持しながら変更する。具体的には、表示処理部１０１は、選択されたメニューアイコン１３０２が画面下方から引っ張られているように、選択されたメニューアイコンを頂点にしてＶ字状に配置されるように変更し、複数（４つ）のメニューアイコンのそれぞれの間に線状画像１３０７が配置されている。線状画像１３０７は、第１、２の実施の形態と同様に、複数のメニューアイコンをＶ字状または直線状に接続するように表示する曲線または直線からなる画像である。
【０１０３】
また、Ｈｏｍｅ画面のサブメニューアイコン領域１３０９には、格子状に「Ｈｏｍｅ」のメニューアイコンに対応するサブメニューアイコンや設定アイコンのサブメニューアイコン群１３０５が配置されて表示され、画面の下部の手前側に、メニューアイコン領域１３０８のメニューアイコン１３０２に一部重なるように表示されている。そして、サブメニューアイコン群１３０５の右側にスクロールバー１３０６を表示し、液晶タッチパネル２２０に表示しきれないサブメニューアイコンや設定アイコンの表示をスクロールさせて表示可能とする。
【０１０４】
このように、第５の実施の形態では、複数のメニューアイコンを配置した選択画面を表示し、利用者からのメニューアイコンの選択を受け付けた場合、選択されたメニューアイコンを、メニューアイコン領域１３０８の規定幅位置に変更するとともに、表示されている他のメニューアイコンを、配置順序を維持しながら変更した選択画面を液晶タッチパネル２２０に表示する。そして、選択されたメニューアイコンが表示されたメニューアイコン領域１３０８の手前側に、選択されたメニューアイコンに対応するサブメニューアイコンや設定アイコンを配置したサブメニューアイコン領域１３０９をメニューアイコン領域１３０８に重畳して表示する。従って、メニューアイコンを、配置順序を維持したまま変更させることで、選択画面のメニューアイコン領域１３０８に表示されたメニューアイコンの内容が認識し易く、所望のメニューアイコンの位置を容易に把握できる。また、選択されたメニューアイコンに対応するサブメニューアイコンや設定アイコンを、サブメニューアイコン領域１３０９に格子状に配置して表示するため、各設定を行う設定処理等の操作性を向上させることができる。
【０１０５】
第１〜５の実施の形態では、表示処理部１０１によって、メニューアイコンの間に線状画像を配置して表示しているが、線状画像の上や線状画像の近傍にメニューアイコンを配置して表示するように構成してもよい。
【０１０６】
また、第１〜５の実施の形態では、表示処理部１０１によって選択画面を表示する際に、背景画面にメニューアイコン、サブメニューアイコンなどを配置した選択画面を生成し、生成した選択画面を液晶タッチパネル２２０に表示しているが、これに限定されるものではない。例えば、予めメニューアイコンの配置の異なる選択画面の画像を、メニューアイコンの数分記憶部１０４に保存して用意しておき、利用者によりメニューアイコンが選択された場合には、表示処理部１０１によって、選択されたメニューアイコンが規定幅位置で拡大して配置された選択画面を記憶部１０４から読み出して、背景画面への各種アイコンの配置を行わずに、読み出した選択画面を液晶タッチパネル２２０に表示するように構成することができる。この場合には、背景画面へのアイコンを配置する処理を行わずにすむため、表示処理を高速に行うことが可能となる。また、選択されたメニューアイコンが規定幅位置に変更されるまでの過程の画面を予め記憶部１０４に保存しておき、メニューアイコンが選択された場合、それらの画面を連続的に表示することで、メニューアイコンを移動させるように表示してもよい。
【０１０７】
また、第１、２の実施の形態では、表示処理部１０１によって、選択されたメニューアイコンを規定幅位置で拡大して表示しているが、これに限定されるものではなく、規定幅位置に選択されたメニューアイコンを変更するだけで拡大表示を行わないように構成してもよい。
【０１０８】
第１〜５の実施の形態では、表示処理部１０１によって、メニューアイコンを円形状にして、その円内にそれぞれのメニュー項目のイラストを加えてメニュー項目を識別可能としているが、これに限定されることなく、他の形状や他のイラストをメニューアイコンとしてもよい。例えば、星型、菱形などの様々な形状のメニューアイコンや、木目、布、金属等の様々な材質のメニューアイコン、赤、青、黄色等の様々な色のメニューアイコンによって、メニュー項目を識別できるようにしてもよい。
【０１０９】
第１〜５の実施の形態では、表示処理装置をＭＦＰに適用した例を示したが、本発明はこれに限定されることなく所定の情報が表示可能なものであれば本発明を適用できる。例えば、データを印刷する複写機、ファクシミリ装置、ＰＣ（Personal Computer）、車の現在地を表示したり指定した目的地までの経路を表示するカーナビゲーション（car navigation system）等を表示処理装置として本発明を適用できる。
【０１１０】
複写機、ファクシミリ装置、カーナビゲーション等に適用する場合には、各種機能の設定を行う画面に表示されるメニュー等を本実施の形態と同様にＶ字状または直線状に表示し、液晶タッチパネルから選択等を受け付けるよう構成すればよい。また、液晶タッチパネルなどの表示画面から入力を行う表示部を備えていないＰＣ等に適用する場合は、各種機能の設定を行う画面に表示されるメニュー等を本実施の形態と同様にＶ字状または直線状に表示し、マウス等の入力装置からの入力により選択等を受け付けるよう構成すればよい。
【０１１１】
図１５は、第１〜５の実施の形態にかかるＭＦＰのハードウェア構成を示すブロック図である。同図に示すように、このＭＦＰ１００は、コントローラ１０とエンジン部（Engine）６０とをＰＣＩ（Peripheral Component Interconnect）バスで接続した構成となる。コントローラ１０は、ＭＦＰ１００全体の制御と描画、通信、操作パネル２００からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【０１１２】
コントローラ１０は、ＣＰＵ（Central Processing Unit）１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ＮＢ１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂと、をさらに有する。
【０１１３】
ＣＰＵ１１は、ＭＦＰ１００の全体制御をおこなうものであり、ＮＢ１３、ＭＥＭ−Ｐ１２およびＳＢ１４からなるチップセットを有し、このチップセットを介して他の機器と接続される。
【０１１４】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【０１１５】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【０１１６】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【０１１７】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。
【０１１８】
ＭＥＭ−Ｃ１７は、コピー用画像バッファ、符号バッファとして用いるローカルメモリであり、ＨＤＤ１８は、画像データの蓄積、プログラムの蓄積、フォントデータの蓄積、フォームの蓄積を行うためのストレージである。
【０１１９】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【０１２０】
なお、上述した実施の形態で示した表示処理装置で実行される表示処理プログラムは、ＲＯＭ等に予め組み込まれて提供される。
【０１２１】
また、上述した実施形態で示した表示処理装置で実行される表示処理プログラムは、インストール可能な形式または実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【０１２２】
さらに、本実施形態の表示処理装置で実行される表示処理プログラムを、インターネット等のネットワークに接続されたコンピュータ上に格納し、ネットワーク経由でダウンロードさせることにより提供するように構成してもよい。また、本実施形態の表示処理装置で実行される表示処理プログラムをインターネット等のネットワーク経由で提供または配布するように構成してもよい。
【０１２３】
本実施の形態の表示処理装置で実行される表示処理プログラムは、上述した各部（表示処理部、選択受付部、実行処理部、および利用者認証部）を含むモジュール構成となっており、実際のハードウェアとしてはＣＰＵ（プロセッサ）が上記ＲＯＭから表示処理プログラムを読み出して実行することにより上記各部が主記憶装置上にロードされ、上記各部が主記憶装置上に生成されるようになっている。
【図面の簡単な説明】
【０１２４】
【図１】第１の実施の形態にかかる表示処理装置の機能を実行することができるＭＦＰの機能ブロック図である。
【図２】ＭＦＰの操作パネルの一例を示した図である。
【図３】選択画面であるＨｏｍｅ画面の一例を示す模式図である。
【図４】ＭＦＰに表示された選択画面の他の例を示す図である。
【図５】選択されるメニューアイコンとそれ以外のメニューアイコンとの関係を示す説明図である。
【図６】選択されるメニューアイコンとそれ以外のメニューアイコンとの関係を示す説明図である。
【図７】ＭＦＰに表示された選択画面の他の一例を示す図である。
【図８】ＭＦＰに表示された選択画面の他の一例を示す図である。
【図９】第１の実施の形態における表示処理の全体の流れを示すフローチャートである。
【図１０】選択画面であるＨｏｍｅ画面の一例を示す模式図である。
【図１１】第２の実施の形態における表示処理の全体の流れを示すフローチャートである。
【図１２】選択画面であるＨｏｍｅ画面の一例を示す模式図である。
【図１３】選択画面であるＨｏｍｅ画面の一例を示す模式図である。
【図１４】選択画面であるＨｏｍｅ画面の一例を示す模式図である。
【図１５】第１〜５の実施の形態にかかるＭＦＰのハードウェア構成を示すブロック図である。
【符号の説明】
【０１２５】
１０  コントローラ
１１  ＣＰＵ
１２  システムメモリ（ＭＥＭ−Ｐ）
１２ａ  ＲＯＭ
１２ｂ  ＲＡＭ
１３  ノースブリッジ（ＮＢ）
１４  サウスブリッジ（ＳＢ）
１５  ＡＧＰバス
１６  ＡＳＩＣ
１７  ローカルメモリ（ＭＥＭ−Ｃ）
１８  ハードディスクドライブ（ＨＤＤ）
３０  ＦＣＵ
４０  ＵＳＢ
５０  ＩＥＥＥ１３９４インターフェース
６０  エンジン部
１０１  表示処理部
１０３  選択受付部
１０４  記憶部
１０５  実行処理部
１０６  利用者認証部
１１１  入力処理部
１１２  出力処理部
１２１  スキャナ制御部
１２２  プロッタ制御部
１２３  蓄積制御部
１２４  配信／メール送受信制御部
１２５  ＦＡＸ送受信制御部
１２６  通信制御部
１５１  アプリケーション層
１５２  サービス層
１５３  オペレーティングシステム
２００  操作パネル
２０１  初期設定キー
２０２  コピーキー
２０３  コピーサーバーキー
２０４  プリンタキー
２０５  送信キー
２０６  テンキー
２０７  クリア／ストップキー
２０８  スタートキー
２０９  予熱キー
２１０  リセットキー
２２０  液晶タッチパネル
３０１，３０２，３０３，３０４，７０１，７０２，７０３，７０４，８０１，８０２，８０３，８０４，９０１，９０２，９０３，９０４，１００１，１００２，１００３，１００４，１１０１，１１０２，１１０３，１１０４，１２０１，１２０２，１２０３，１２０４，１３０１，１３０２，１３０３，１３０４  メニューアイコン
３０５，７０５，８０５，１００５，１１０５，１２０５，１３０５  サブメニューアイコン群
３０６，７０６，８０６，９０６，１００６，１１０６，１２０６，１３０６  スクロールバー
３０７，７０７，８０７，９０７，１０１０，１１０７，１２０７，１３０７  線状画像
３０８，７０８，８０８，９０８，１０１１，１１０８，１２０８  境界線画像
１００７，１００８，１００９        縮小サブメニューアイコン群
９０５  履歴
【図１】
2008217339.tif 000003
【図２】
2008217339.tif 000004
【図３】
2008217339.tif 000005
【図４】
2008217339.tif 000006
【図５】
2008217339.tif 000007
【図６】
2008217339.tif 000008
【図７】
2008217339.tif 000009
【図８】
2008217339.tif 000010
【図９】
2008217339.tif 000011
【図１０】
2008217339.tif 000012
【図１１】
2008217339.tif 000013
【図１２】
2008217339.tif 000014
【図１３】
2008217339.tif 000015
【図１４】
2008217339.tif 000016
【図１５】
2008217339.tif 000017